(57)【要約】【課題】マイク音声信号と非マイク音声信号とを合成して音声出力を行う場合に、より適切な音声出力を行うことが可能な音声出力装置等を提供すること。【解決手段】音声出力装置１０２が、マイク入力部１１０と、増幅マイク音声信号を生成するマイク音声増幅部１２２と、ライン入力部１１０と、増幅非マイク音声信号を生成する非マイク音声増幅部１２０と、前記増幅マイク音声信号が閾値を超えるかどうかを判定する判定部１４０と、前記増幅マイク音声信号が前記閾値を超えた場合、非マイク音声増幅部１２０に対し、前記非マイク音声信号の増幅度を低下させる制御を行う増幅制御部１５０と、前記増幅マイク音声信号と、前記増幅非マイク音声信号とを合成して合成音声信号を生成する音声合成部１３０と、合成音声信号に基づき、音声を出力する音声出力部を含んで構成される。【選択図】図２
2010068292.tif 000002
【特許請求の範囲】
【請求項１】
マイク音声信号を入力するマイク入力部と、
前記マイク音声信号を増幅して増幅マイク音声信号を生成するマイク音声増幅部と、
前記マイク音声信号以外の非マイク音声信号を入力するライン入力部と、
前記非マイク音声信号を増幅して増幅非マイク音声信号を生成する非マイク音声増幅部と、
前記マイク音声信号または前記増幅マイク音声信号が閾値を超えるかどうかを判定する第１の判定部と、
前記マイク音声信号または前記増幅マイク音声信号が前記閾値を超えた場合、前記マイク音声増幅部および前記非マイク音声増幅部の少なくとも一方に対し、前記非マイク音声信号の増幅度を前記マイク音声信号の増幅度に比べて相対的に低下させる制御を行う第１の増幅制御部と、
前記増幅マイク音声信号と、前記増幅非マイク音声信号とを合成して合成音声信号を生成する音声合成部と、
前記合成音声信号に基づき、音声を出力する音声出力部と、
を含む、
音声出力装置。
【請求項２】
請求項１に記載の音声出力装置において、
前記合成音声信号を増幅して増幅合成音声信号を生成する合成音声増幅部と、
前記増幅合成音声信号が前記音声出力部の定格入力を超えるかどうかを判定する第２の判定部と、
前記増幅合成音声信号が前記音声出力部の定格入力を超える場合、前記合成音声増幅部に対して前記合成音声信号の増幅度を低下させる制御を行う第２の増幅制御部と、
を含む、
音声出力装置。
【請求項３】
請求項１、２のいずれかに記載の音声出力装置において、
モードごとの前記第１の増幅制御部による制御内容を示す増幅制御データと、複数種の前記モードのうちどのモードが選択されているかを示す選択データとを記憶する記憶部を含み、
前記第１の増幅制御部は、前記選択データと、前記増幅制御データとに基づく制御を行う、
音声出力装置。
【請求項４】
請求項１〜３のいずれかに記載の音声出力装置において、
前記第１の判定部は、前記マイク音声信号または前記増幅マイク音声信号が、前記閾値を超えた後に前記閾値未満の状態が所定時間以上継続しているかどうかを判定し、
前記第１の増幅制御部は、前記マイク音声信号または前記増幅マイク音声信号が、前記閾値を超えた後に前記閾値未満の状態が所定時間以上継続している場合、前記マイク音声増幅部および前記非マイク音声増幅部の少なくとも一方に対し、デフォルトの増幅度に戻す制御を行う、
音声出力装置。
【請求項５】
請求項１〜４のいずれかに記載の音声出力装置を含む、
プロジェクタ。
【請求項６】
マイク音声信号を増幅して増幅マイク音声信号を生成するマイク音声増幅部と、前記マイク音声信号以外の非マイク音声信号を増幅して増幅非マイク音声信号を生成する非マイク音声増幅部と、音声を出力する音声出力部とを制御するコンピュータにより読み取り可能なプログラムにおいて、
前記コンピュータを、
前記マイク音声信号または前記増幅マイク音声信号に基づく第１の判定値が閾値を超えるかどうかを判定する第１の判定部と、
前記第１の判定値が前記閾値を超えた場合、前記マイク音声増幅部および前記非マイク音声増幅部の少なくとも一方に対し、前記第１の判定値に応じて前記非マイク音声信号の増幅度を前記マイク音声信号の増幅度に比べて相対的に低下させる制御を行う第１の増幅制御部と、
前記増幅マイク音声信号と、前記増幅非マイク音声信号とを合成して合成音声信号を生成する音声合成部と、
前記合成音声信号に基づき、前記音声出力部に音声を出力させる音声出力制御部として機能させる、
プログラム。
【請求項７】
マイク音声信号を増幅して増幅マイク音声信号を生成するマイク音声増幅部と、前記マイク音声信号以外の非マイク音声信号を増幅して増幅非マイク音声信号を生成する非マイク音声増幅部と、音声を出力する音声出力部とを制御するコンピュータにより読み取り可能なプログラムを記憶した情報記憶媒体において、
請求項６に記載のプログラムを記憶した、
情報記憶媒体。
【発明の詳細な説明】
【技術分野】
【０００１】
本発明は、音声出力装置、プロジェクタ、プログラムおよび情報記憶媒体に関する。
【背景技術】
【０００２】
音声出力装置が、マイク音声信号と、非マイク音声信号とを合成して出力する場合、非マイク音声（例えば、ＢＧＭ等）のほうが大きいとマイク音声が聞き取りづらくなる。また、非マイク音声が出力されている状況で新たにマイク音声信号が入力された場合、スピーカの出力許容範囲を超えてしまい、音声が震えてしまう（いわゆるビビリ音が発生してしまう）ことがある。
【０００３】
このような問題を解決する手法として、例えば、特開平５−６４２８６号公報では、マイク入力端子にマイクピンが挿入されるとオンになるスイッチと、スイッチがオンになるとミキサーに入力されるミュージックレベルを低下させる回路を備えたマイクミキシング回路が記載されている。
【特許文献１】特開平５−６４２８６号公報
【発明の開示】
【発明が解決しようとする課題】
【０００４】
しかし、特開平５−６４２８６号公報の手法では、マイク音声信号の入力がない場合であっても、マイクピンが挿入されるとミュージックレベルが低下してしまい、出力音が変化してしまうため、聴衆が違和感を感じてしまう。また、当該手法では、状況に関わらず、ミュージックレベルを固定のパターンで低下させてしまうため、状況に応じた最適な音声出力を行うことができない。
【０００５】
本発明の目的は、マイク音声信号と非マイク音声信号とを合成して音声出力を行う場合に、より適切な音声出力を行うことが可能な音声出力装置、プロジェクタ、プログラムおよび情報記憶媒体を提供することにある。
【課題を解決するための手段】
【０００６】
上記課題を解決するため、本発明に係る音声出力装置は、マイク音声信号を入力するマイク入力部と、前記マイク音声信号を増幅して増幅マイク音声信号を生成するマイク音声増幅部と、前記マイク音声信号以外の非マイク音声信号を入力するライン入力部と、前記非マイク音声信号を増幅して増幅非マイク音声信号を生成する非マイク音声増幅部と、前記マイク音声信号または前記増幅マイク音声信号が閾値を超えるかどうかを判定する第１の判定部と、前記マイク音声信号または前記増幅マイク音声信号が前記閾値を超えた場合、前記マイク音声増幅部および前記非マイク音声増幅部の少なくとも一方に対し、前記非マイク音声信号の増幅度を前記マイク音声信号の増幅度に比べて相対的に低下させる制御を行う第１の増幅制御部と、前記増幅マイク音声信号と、前記増幅非マイク音声信号とを合成して合成音声信号を生成する音声合成部と、前記合成音声信号に基づき、音声を出力する音声出力部と、を含むことを特徴とする。
【０００７】
また、本発明に係るプロジェクタは、上記音声出力装置を含むことを特徴とする。
【０００８】
また、本発明に係るプログラムは、マイク音声信号を増幅して増幅マイク音声信号を生成するマイク音声増幅部と、前記マイク音声信号以外の非マイク音声信号を増幅して増幅非マイク音声信号を生成する非マイク音声増幅部と、音声を出力する音声出力部とを制御するコンピュータにより読み取り可能なプログラムにおいて、前記コンピュータを、前記マイク音声信号または前記増幅マイク音声信号に基づく第１の判定値が閾値を超えるかどうかを判定する第１の判定部と、前記第１の判定値が前記閾値を超えた場合、前記マイク音声増幅部および前記非マイク音声増幅部の少なくとも一方に対し、前記第１の判定値に応じて前記非マイク音声信号の増幅度を前記マイク音声信号の増幅度に比べて相対的に低下させる制御を行う第１の増幅制御部と、前記増幅マイク音声信号と、前記増幅非マイク音声信号とを合成して合成音声信号を生成する音声合成部と、前記合成音声信号に基づき、前記音声出力部に音声を出力させる音声出力制御部として機能させることを特徴とする。
【０００９】
また、本発明に係る情報記憶媒体は、マイク音声信号を増幅して増幅マイク音声信号を生成するマイク音声増幅部と、前記マイク音声信号以外の非マイク音声信号を増幅して増幅非マイク音声信号を生成する非マイク音声増幅部と、音声を出力する音声出力部とを制御するコンピュータにより読み取り可能なプログラムを記憶した情報記憶媒体において、上記プログラムを記憶したことを特徴とする。
【００１０】
本発明によれば、音声出力装置等は、マイク音声信号等に基づく判定値を基準として非マイク音声信号等の増幅制御を行うことにより、マイク音声信号と非マイク音声信号とを合成して音声出力を行う場合に、より適切な音声出力を行うことができる。
【００１１】
また、前記音声出力装置は、前記合成音声信号を増幅して増幅合成音声信号を生成する合成音声増幅部と、前記増幅合成音声信号が前記音声出力部の定格入力を超えるかどうかを判定する第２の判定部と、前記増幅合成音声信号が前記音声出力部の定格入力を超える場合、前記合成音声増幅部に対して前記合成音声信号の増幅度を低下させる制御を行う第２の増幅制御部とを含んでもよい。
【００１２】
これによれば、音声出力装置等は、合成音声信号によって出力音に歪みが発生する可能性がある場合に合成音声信号の増幅度を低下させることにより、出力音の歪みの発生を防止することができるため、より適切な音声出力を行うことができる。
【００１３】
また、前記音声出力装置は、モードごとの前記第１の増幅制御部による制御内容を示す増幅制御データと、複数種の前記モードのうちどのモードが選択されているかを示す選択データとを記憶する記憶部を含み、前記第１の増幅制御部は、前記選択データと、前記増幅制御データとに基づく制御を行ってもよい。
【００１４】
これによれば、音声出力装置等は、選択に応じた増幅制御を行うことができるため、状況に応じたより適切な音声出力を行うことができる。
【００１５】
また、前記第１の判定部は、前記マイク音声信号または前記増幅マイク音声信号が、前記閾値を超えた後に前記閾値未満の状態が所定時間以上継続しているかどうかを判定し、前記第１の増幅制御部は、前記マイク音声信号または前記増幅マイク音声信号が、前記閾値を超えた後に前記閾値未満の状態が所定時間以上継続している場合、前記マイク音声増幅部および前記非マイク音声増幅部の少なくとも一方に対し、デフォルトの増幅度に戻す制御を行ってもよい。
【００１６】
これによれば、音声出力装置等は、マイク音声の入力が停止した場合等にデフォルトの増幅度に戻すことができるため、より適切な音声出力を行うことができる。
【発明を実施するための最良の形態】
【００１７】
以下、本発明をプロジェクタに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１８】
（第１の実施例）
図１は、第１の実施例におけるプロジェクタ１００の機能ブロック図である。プロジェクタ１００は、音声出力装置１０２と、画像情報を入力する画像入力部１０４と、画像情報に基づき、画像を生成する画像処理部１０６と、画像を投写する投写部１０８を含んで構成されている。
【００１９】
図２は、第１の実施例における音声出力装置１０２の機能ブロック図である。音声出力装置１０２は、マイクからマイク音声信号を入力するマイク入力部１１２と、マイク音声信号を増幅して増幅マイク音声信号を生成するマイク音声増幅部１２２と、マイク音声信号以外の非マイク音声信号を入力するライン入力部１１０と、非マイク音声信号を増幅して増幅非マイク音声信号を生成する非マイク音声増幅部１２０を含んで構成されている。
【００２０】
なお、非マイク音声信号としては、例えば、プロジェクタ１００の外部のＤＶＤプレーヤ等から入力される音声信号、プロジェクタ１００に内蔵されたＤＶＤプレーヤ等から入力される音声信号等が該当する。
【００２１】
また、音声出力装置１０２は、増幅マイク音声信号に基づく第１の判定値が閾値を超えるかどうかを判定する判定部（第１の判定部）１４０と、第１の判定値が閾値を超えた場合、非マイク音声増幅部１２０に対し、第１の判定値に応じて増幅度を低下させる制御を行う増幅制御部（第１の増幅制御部）１５０と、増幅マイク音声信号と、増幅非マイク音声信号を合成して合成音声信号を生成する音声合成部１３０を含んで構成されている。
【００２２】
また、音声出力装置１０２は、合成音声信号を増幅して増幅合成音声信号を生成する合成音声増幅部１２４と、増幅合成音声信号が音声出力部１６０の定格入力を超えるかどうかを判定する判定部（第２の判定部）１４２と、当該判定結果が真の場合、合成音声増幅部１２４に対して合成音声信号の増幅度を低下させる制御を行う増幅制御部（第２の増幅制御部）１５２と、増幅合成音声信号に基づき、音声を出力する音声出力部１６０を含んで構成されている。
【００２３】
なお、増幅制御部１５０等の機能をプロジェクタ１００に実装するためのハードウェアとしては、例えば、以下のものが採用されてもよい。例えば、ライン入力部１１０としてはライン入力端子等、マイク入力部１１２としてはマイク入力端子等、非マイク音声増幅部１２０、マイク音声増幅部１２２、合成音声増幅部１２４としてはアンプ等、音声合成部１３０としては音声処理回路等、判定部１４０、１４２、増幅制御部１５０、１５２としてはＣＰＵ等、音声出力部１６０としてはスピーカ等、画像入力部１０４としては画像信号入力端子等、画像処理部１０６としては画像処理回路等、投写部１０８としてはランプ、ランプ駆動回路、液晶パネル、レンズ等が採用されてもよい。
【００２４】
また、プロジェクタ１００は、増幅制御部１５０等の機能を、情報記憶媒体２００からプログラムを読み取って実装してもよい。このような情報記憶媒体２００としては、例えば、ＣＤ−ＲＯＭ、ＤＶＤ−ＲＯＭ、ＲＯＭ、ＲＡＭ、ＨＤＤ等を適用できる。
【００２５】
次に、増幅制御部１５０等を用いた音声出力手順について説明する。図３は、第１の実施例における音声出力手順を示すフローチャートである。
【００２６】
判定部１４０は、マイク音声増幅部１２２から出力される増幅マイク音声信号に基づく第１の判定値が閾値を超えるかどうかを判定することにより、マイク音声入力があるかどうかを判定する（ステップＳ１）。
【００２７】
なお、増幅マイク音声信号に基づく第１の判定値としては、例えば、増幅マイク音声信号値、一定時間（例えば、５秒等）あたりの増幅マイク音声信号値の平均値、増幅マイク音声信号の出力時の電圧値およびこれらの値を変換した値等であってもよい。また、この場合の閾値としては、例えば、音声出力部１６０から出力された場合に人間が音として聴くことができる値の最小値等であってもよい。
【００２８】
ステップＳ１の判定結果が真の場合、増幅制御部１５０は、非マイク音声増幅部１２０における増幅度を低下（例えば、１０％低下、第１の判定値に応じて低下等）させるように非マイク音声増幅部１２０を制御し、非マイク音声増幅部１２０は、増幅度が低下した状態で非マイク音声信号を増幅する（ステップＳ２）。
【００２９】
一方、ステップＳ１の判定結果が偽の場合、判定部１４０は、当該判定結果が偽となる状態が所定時間継続したかどうかを判定する（ステップＳ３）。ステップＳ３の判定結果が真の場合、増幅制御部１５０は、非マイク音声増幅部１２０における増幅度がデフォルト（初期状態）の値になるように非マイク音声増幅部１２０を制御し、非マイク音声増幅部１２０は、デフォルトの増幅度で非マイク音声信号を増幅する（ステップＳ４）。
【００３０】
音声合成部１３０は、マイク音声増幅部１２２からの増幅マイク音声信号と、非マイク音声増幅部１２０からの増幅非マイク音声信号を合成して合成音声信号を生成する（ステップＳ５）。
【００３１】
合成音声増幅部１２４は、音声合成部１３０からの合成音声信号を増幅して増幅合成音声信号を生成する（ステップＳ６）。判定部１４２は、増幅合成音声信号が音声出力部１６０の定格入力（音の歪みの発生しない限界値）を超えるかどうかを判定する（ステップＳ７）。
【００３２】
なお、この定格入力の値は、スピーカの規格値には限定されず、いわゆるビビリ音が発生する条件（例えば、プロジェクタ１００の筐体の素材等）を考慮して適宜調整されてもよい。
【００３３】
ステップＳ７の判定結果が真の場合、増幅制御部１５２は、合成音声増幅部１２４における増幅度を低下（例えば、１０％低下、増幅合成音声信号の値に応じて低下等）させるように合成音声増幅部１２４を制御する（ステップＳ８）。
【００３４】
なお、ステップＳ７の判定結果が偽の場合はステップＳ８の処理は行われない。また、ステップＳ７の判定結果が真になった後、ステップＳ７の判定結果が偽の状態が所定時間（例えば、１０秒等）継続した場合、増幅制御部１５２は、合成音声増幅部１２４の増幅度をデフォルト値に戻してもよい。
【００３５】
音声出力部１６０は、合成音声増幅部１２４からの増幅合成音声信号に基づき、音声を出力する（ステップＳ９）。これにより、非マイク音声とマイク音声が合成された音声が出力される。
【００３６】
音声出力装置１０２は、処理を終了すべきかどうかを判定し（ステップＳ１０）、処理を終了すべき場合は処理を終了し、処理を続行すべき場合は一連の処理（ステップＳ１〜Ｓ１０）を続行する。
【００３７】
以上のように、本実施例によれば、音声出力装置１０２は、マイク音声信号等に基づく判定値を基準として非マイク音声信号の増幅制御を行うことにより、マイク音声信号と非マイク音声信号とを合成して音声出力を行う場合に、より適切な音声出力を行うことができる。具体的には、例えば、音声出力装置１０２は、ＢＧＭを出力している状態でマイクによる音声入力があった場合に自動的にＢＧＭの音量を小さくすることにより、マイクで話している人の声を聴衆に適切に伝えることができる。
【００３８】
また、本実施例によれば、音声出力装置１０２は、合成音声信号によって出力音に歪み（例えば、いわゆるビビリ音等）が発生する可能性がある場合に合成音声信号の増幅度を低下させることにより、出力音の歪みの発生を防止することができるため、より適切な音声出力を行うことができる。
【００３９】
さらに、本実施例によれば、音声出力装置１０２は、マイク音声の入力が停止した場合等にデフォルトの増幅度に戻すことができるため、より適切な音声出力を行うことができる。
【００４０】
（第２の実施例）
第１の実施例では、増幅制御部１５０は、増幅制御部１５２の増幅度を固定的に低下させたが、ユーザの選択等に応じて増幅制御部１５２の増幅度を低下させてもよい。
【００４１】
図４は、第２の実施例における音声出力装置１０３の機能ブロック図である。音声出力装置１０３は、第１の実施例の音声出力装置１０２の構成に加えて、ユーザのモードの選択を示す選択情報を入力する選択部１７０と、当該選択の内容を示す選択データ１８２、モードごとの増幅制御内容を示す増幅制御データ１８４等を記憶する記憶部１８０を含んで構成されている。
【００４２】
図５は、第２の実施例における増幅制御データ１８４の一例を示す図である。例えば、増幅制御データ１８４の項目としては、例えば、「モード」、モードごとの非マイク音声増幅部１２０における増幅度を示す「増幅度」等が該当する。
【００４３】
図６は、第２の実施例における音声出力手順を示すフローチャートである。第２の実施例では、増幅制御部１５１は、マイク音声入力ありと判定された場合、選択データ１８２と、増幅制御データ１８４に基づき、選択モードに応じて非マイク音声増幅部１２０における増幅度を決定して非マイク音声増幅部１２０を制御し、非マイク音声増幅部１２０は、選択モードに応じた増幅度で非マイク音声信号を増幅する（ステップＳ１１）。
【００４４】
例えば、選択モードが「ビジネス」の場合、増幅度は「−１０」であり、例えば、非マイク音声増幅部１２０における増幅度は１０％低下する。また、例えば、選択モードが「学校」の場合、増幅度は「−３０」であり、例えば、非マイク音声増幅部１２０における増幅度は３０％低下する。
【００４５】
以上のように、本実施例によっても、音声出力装置１０３は、第１の実施例と同様の作用効果を奏する。
【００４６】
また、本実施例によれば、音声出力装置１０３は、ユーザの選択に応じた増幅制御を行うことができるため、状況に応じたより適切な音声出力を行うことができる。例えば、ビジネスで使用される場合、ライン入力部１１０に入力される非マイク音声信号の値は大きくないと想定されるため、非マイク音声増幅部１２０の増幅度をあまり低下させない。これに対し、学校で使用される場合、ライン入力部１１０に入力される非マイク音声信号の値は大きいと想定されるため、非マイク音声増幅部１２０の増幅度を大きく低下させる。これにより、例えば、プロジェクタ１００が学校で使用される場合であっても、マイクを使用した教師の声は教室全体で聞き取りやすくなる。
【００４７】
（その他の実施例）
なお、本発明の適用は上述した実施例に限定されず、種々の変形が可能である。例えば、判定部１４０は、第１の判定値として、増幅されていないマイク音声信号に基づく値を用いてもよい。
【００４８】
また、増幅制御部１５０、１５１は、第１の判定値が閾値を超えた場合の制御として、非マイク音声増幅部１２０、マイク音声増幅部１２２に対し、第１の判定値に応じて非マイク音声信号の増幅度をマイク音声信号の増幅度に比べて相対的に低下させる制御を行ってもよい。すなわち、増幅制御部１５０、１５１は、非マイク音声増幅部１２０の増幅度を低下させ、かつ、マイク音声増幅部１２２の増幅度を増加させる制御、非マイク音声増幅部１２０の増幅度は変化させずにマイク音声増幅部１２２の増幅度を増加させる制御等を行ってもよい。
【００４９】
また、音声合成部が、非マイク音声信号とマイク音声信号を任意の比率で合成する機能を有している場合、増幅制御部１５０、１５１は、当該音声合成部の比率を調整することによって非マイク音声信号とマイク音声信号の合成比率（ミキシングバランス）を調整してもよい。
【００５０】
また、第２の実施例におけるモードごとの増幅度をユーザが調整できるように構成してもよい。これによれば、ユーザは、自分の使用環境に合わせて所望の音声を出力することができる。また、定格入力を超えるかどうかを判定する判定値は、増幅合成音声信号そのものには限定されず、例えば、一定時間（例えば、５秒等）あたりの増幅合成音声信号値の平均値、増幅合成音声信号の出力時の電圧値およびこれらの値を変換した値等であってもよい。
【００５１】
また、音声出力装置１０２、１０３を実装可能な装置は、プロジェクタ１００には限定されず、例えば、ＰＣ(Personal Computer)、テレビ等であってもよい。また、音声出力装置１０２、１０３は、単体の装置として形成されてもよいし、複数の装置として形成されてもよい。また、合成音声増幅部１２４、判定部１４２、増幅制御部１５２は必須の構成ではなく、音声合成部１３０は、合成音声信号をそのまま音声出力部１６０に出力し、音声出力部１６０は、合成音声信号に基づいて音声を出力してもよい。
【００５２】
また、プロジェクタ１００は、液晶プロジェクタ（透過型、ＬＣＯＳ等の反射型）には限定されず、例えば、ＤＭＤ(Digital Micromirror Device)を用いたプロジェクタ等であってもよい。なお、ＤＭＤは米国テキサス・インスツルメンツ社の商標である。
【００５３】
また、プロジェクタ１００の機能を複数の装置（例えば、プロジェクタ、アンプ、スピーカ等）に分散して実装してもよい。
【図面の簡単な説明】
【００５４】
【図１】第１の実施例におけるプロジェクタの機能ブロック図である。
【図２】第１の実施例における音声出力装置の機能ブロック図である。
【図３】第１の実施例における音声出力手順を示すフローチャートである。
【図４】第２の実施例における音声出力装置の機能ブロック図である。
【図５】第２の実施例における増幅制御データの一例を示す図である。
【図６】第２の実施例における音声出力手順を示すフローチャートである。
【符号の説明】
【００５５】
１００  プロジェクタ、１０２、１０３  音声出力装置、１０４  画像入力部、１０６  画像処理部、１０８  投写部、１１０  ライン入力部、１１２  マイク入力部、１２０  非マイク音声増幅部、１２２  マイク音声増幅部、１２４  合成音声増幅部、１３０  音声合成部、１４０  判定部（第１の判定部）、１４２  判定部（第２の判定部）、１５０、１５１  増幅制御部（第１の増幅制御部）、１５２  増幅制御部（第２の増幅制御部）、１６０  音声出力部、１７０  選択部、１８０  記憶部、１８２  選択データ、１８４  増幅制御データ、２００  情報記憶媒体
【図１】
2010068292.tif 000003
【図２】
2010068292.tif 000004
【図３】
2010068292.tif 000005
【図４】
2010068292.tif 000006
【図５】
2010068292.tif 000007
【図６】
2010068292.tif 000008